(57)【要約】【課題】複数の記録再生装置を備えた記録再生複合機において動作モードを変更することなく、各記録再生装置の動作状態、及び処理中画像を視認することが可能な記録再生複合機を提供する。【解決手段】ＯＳＤ処理部及びＰＩＰ処理部を備えた記録再生複合機であって、各記録再生装置の動作状態確認指示を検知した際に、動作状態確認結果をＯＳＤ処理部により画像に変換して表示する。また各記録再生装置が出力中である画像情報を補助画像として同時、或いは順に縮小表示するための画像信号をＰＩＰ処理部により生成して表示装置に出力する。なお各装置が出力中の画像情報とは、例えばＤＶＤ再生装置がＤＶＤメディアから読み出して再生中の画像情報等を指す。【選択図】図１
2008182568.tif 000002
【特許請求の範囲】
【請求項１】
情報の記録及び／若しくは再生が可能な複数の記録装置、再生装置、或いは記録再生装置と、
前記各装置が保持する情報を示す画像を作成するＯＳＤ処理部と、
複数の画像に縮小処理、或いは重ね合わせ処理を施すことにより、表示装置の一画面上に前記複数画像を同時に表示する画像信号を作成するＰＩＰ処理部と、
を備えた記録再生複合機であって、
前記各装置の動作状態を確認する動作状態確認部と、
前記各装置の動作状態の表示指示を受け付ける受付部と、
前記受付部が前記表示指示を受け付けた際に、前記動作状態確認部を用いて前記各装置の動作状態を確認し、確認結果を示す画像を前記ＯＳＤ処理部を用いて作成し、前記ＯＳＤ処理部により作成された確認結果画像を画像信号に変換して所定時間だけ出力する動作状態出力部とを備え、
前記動作状態出力部が、前記ＰＩＰ処理部を用いて、前記記録再生複合機が備える全ての前記各装置が表示装置に対して出力中である画像を前記表示装置の画面の一部分に同時、或いは順に縮小表示するための画像信号を作成し、所定時間だけ出力すること
を特徴とする記録再生複合機。
【請求項２】
情報の記録及び／若しくは再生が可能な複数の記録装置、再生装置、或いは記録再生装置と、
前記各装置が保持する情報を示す画像を作成する画像作成手段と、
を備えた記録再生複合機であって、
前記各装置の動作状態を確認する動作状態確認手段と、
前記各装置の動作状態の表示指示を受け付ける受付手段と、
前記受付手段が前記表示指示を受け付けた際に、動作状態確認手段を用いて前記各装置の動作状態を確認し、確認結果を示す画像を前記画像作成手段を用いて作成し、前記画像作成手段により作成された確認結果画像を画像信号に変換して所定時間だけ出力する動作状態出力手段と、
を備えたことを特徴とする記録再生複合機。
【請求項３】
複数の画像に縮小処理、或いは重ね合わせ処理を施すことにより、表示装置の一画面上に前記複数画像を同時に表示する画像信号を作成する複数画像処理手段と、
前記動作状態出力手段が、前記複数画像処理手段を用いて、前記記録再生複合機が備える前記各装置が表示装置に対して出力中である画像を前記表示装置の画面の一部分に同時に縮小表示するための画像信号を作成し、所定時間だけ出力すること
を特徴とする請求項２に記載の記録再生複合機。
【請求項４】
複数の画像に縮小処理、或いは重ね合わせ処理を施すことにより、表示装置の一画面上に前記複数画像を同時に表示する画像信号を作成する複数画像処理手段と、
前記動作状態出力手段が、前記複数画像処理手段を用いて、前記記録再生複合機が備える前記各装置が表示装置に対して出力中である画像を前記表示装置の画面の一部分に順に縮小表示するための画像信号を作成し、所定時間だけ出力すること
を特徴とする請求項２に記載の記録再生複合機。
【発明の詳細な説明】
【技術分野】
【０００１】
本発明は、動画や音声の記録処理及び再生処理を並行して実施可能な複数の装置を備えた記録再生複合機に関するものであり、特に装置毎で並行して行われる複数の処理の動作状態を示す機能を備えた記録再生複合機に関する。
【背景技術】
【０００２】
近年、テレビ等の画像装置において処理される動画や音声の記録を行うための装置として、ＤＶＤ（Digital Versatile Disk）レコーダまたはＨＤＤ（Hard Disk Drive）レコーダ等のデジタル方式による記録再生装置が広く普及している。また、これら複数の記録再生装置を一つにまとめた記録再生複合機が広く普及している。
【０００３】
記録再生複合機は、記録媒体に対する画像および音声の記録／再生が行える記録再生装置を複数内蔵している。このため例えば、一方の記録再生装置で記録媒体に記録されている画像および音声を再生し、他方の記録再生装置でこの再生されている画像および音声を記録媒体に記録する、いわゆるダビング動作が可能である。なお、記録再生複合機が備える複数の記録再生装置は、個別に記録媒体或いはチューナを備えている形態のものであってもよいし、記録媒体或いはチューナを共用している形態のであってもよい。
【０００４】
代表的な記録再生複合機としては、例えばＨＤＤ内臓ＤＶＤレコーダや、ＶＣＲ（Video Cassette Recorder）／ＤＶＤ／ＨＤＤ複合機が存在する。これらの複合機は通常、使用する記録再生装置を切り換えるための複数の動作モードを備えている。例えばＶＣＲを用いて記録再生を行うＶＣＲモード、ＤＶＤドライブを用いて記録再生を行うＤＶＤモード等、記録再生装置毎に動作モードが存在する。
【０００５】
ユーザは各記録再生装置を使用する際に、使用したい記録再生装置に対応する動作モードを選択して切り替えを行う。ただし動作モードが切り換えられた場合においても、各モードにおいて使用する装置（例えば再生用ＩＣ等）が競合しない限り、切り替え前のモードと切り替え後のモードとを並行実施することが可能である。
【０００６】
例えば、ＨＤＤモードで地上デジタル放送の録画開始を行った後、ＤＶＤモードに切り換えてＤＶＤメディアの再生を行うとする。この場合、ユーザが視認できるのはＤＶＤモードによる再生処理だけであるが、裏ではＨＤＤモードによる録画処理が継続して実施可能である。
【０００７】
しかしながら、動作モードを変更した場合、切り替え前の動作モードと切り替え後の動作モードにおいて使用される装置が競合する場合がある。例えば一つの再生用ＩＣが、切り替え前のＶＣＲモードと切り替え後のＤＶＤモードの両方で使用される場合等である。この場合、切り替え前の動作モードにおいて動作する装置が行っていた各種処理（例えば再生処理、録画処理等）の一部或いは全部が、強制的に停止させられてしまうといった問題があった。
【０００８】
このためユーザは、現在の動作モードにおいて実行中の処理を中断させない限り、非選択中の動作モードにおいて実行されている処理の状態の確認を行うことができない場合があるといった問題があった。具体的には例えば、選択中のＤＶＤモードにおける再生処理と、非選択中のＶＣＲモードでの録画処理とを並行して行っていたとする。この場合、ＶＣＲモードで、どのチャンネルの録画を行っているかユーザが知りたいと思った場合、ＤＶＤモードからＶＣＲモードへの切り換えを行う必要がある。しかしこの切り換え処理を行うと、ＤＶＤモードにおける再生処理は強制中断されてしまう。このためユーザが、使い勝手が悪いと感じる可能性があった。
【０００９】
上記に関連して特許文献１においては、テレビジョンを視聴中に録画を開始させると、録画画像を録画開始から数秒間、視聴中の画像の中に小さく挿入し表示をさせる録画画像表示方法が開示されている。
【００１０】
特許文献１の録画画像表示方法は、録画ボタンにて録画をスタートした時、録画画像を子画面上にて確認するための録画画像の縮小表示を行うが、最初に視聴していた画面が全部消えるわけではなく、画像の大部分はそのまま見る事ができる。数秒後、画面は子画面の消えた状態となり、元の画面となる。
【００１１】
また上記に関連して特許文献２においては、デジタルテレビのような高機能のデジタル画像機器で、ＩＥＥＥ１３９４インタフェースを通して連結接続された外部機器の多様な動作及び機能選択のためのメニュー画面を表示し、その表示されたメニュー画面を通して選択及び指定される動作及び機能が実行されるように外部機器に要求する遠隔制御方法が開示されている。
【００１２】
特許文献２の遠隔操作方法は、外部連結機器選択のためのメニュー画面を表示する１段階、前記メニュー画面を通して選択された特定外部連結機器の動作選択のためのメニュー画面を要求する２段階、及びその要求により特定外部連結機器からデータ変換なしに提供されるメニュー画面構成のためのメニューデータを受信して、これを表示する３段階を含んでなることを特徴としている。
【特許文献１】特開平５−４１８３８号公報
【特許文献２】特開２００１−２２８９５３号公報
【発明の開示】
【発明が解決しようとする課題】
【００１３】
しかしながら、上記特許文献１においては、発明を実施するための具体的な実施例が十分に示されておらず、また記録手段が複数存在する場合における録画画像の縮小表示、及び各記録手段の動作状態の表示については開示も示唆もなされていない。
【００１４】
また上記特許文献２においては、複数の記録再生装置を遠隔操作する方法は開示されているが、これらの記録再生装置はＩＥＥＥ１３９４インタフェースを備えている必要がある。ＩＥＥＥ１３９４は通常、複数の外部機器同士を接続するのを前提とした規格である。従って複数の記録再生装置を内部に備える記録再生複合機の内部で用いた場合、装置構成の複雑化及び高コストにつながるという問題があった。
【００１５】
本発明は、上記の問題を鑑みてなされたものであり、複数の記録再生装置を備えた記録再生複合機であって、使用する記録再生装置を指定するための動作モードを変更することなく、各記録再生装置の動作状態、及び各記録再生装置が処理中の画像情報を視認することが可能な記録再生複合機を提供することを目的とする。
【課題を解決するための手段】
【００１６】
上記目的を達成するために本発明の記録再生複合機は、情報の記録及び／若しくは再生が可能な複数の記録装置、再生装置、或いは記録再生装置と、前記各装置が保持する情報を示す画像を作成するＯＳＤ処理部と、複数の画像に縮小処理、或いは重ね合わせ処理を施すことにより、表示装置の一画面上に前記複数画像を同時に表示する画像信号を作成するＰＩＰ処理部とを備えた記録再生複合機であって、前記各装置の動作状態を確認する動作状態確認部と、前記各装置の動作状態の表示指示を受け付ける受付部と、前記受付部が前記表示指示を受け付けた際に、前記動作状態確認部を用いて前記各装置の動作状態を確認し、確認結果を示す画像を前記ＯＳＤ処理部を用いて作成し、前記ＯＳＤ処理部により作成された確認結果画像を画像信号に変換して所定時間だけ出力する動作状態出力部とを備え、前記動作状態出力部が、前記ＰＩＰ処理部を用いて、前記記録再生複合機が備える全ての前記各装置が表示装置に対して出力中である画像を前記表示装置の画面の一部分に同時、或いは順に縮小表示するための画像信号を作成し、所定時間だけ出力することを特徴としている。
【００１７】
これによると、本発明の記録再生複合機は、例えばチューナ等により入力した画像情報や音声情報の記録／再生が可能な複数の記録装置、再生装置、或いは記録再生装置の何れか複数を含むように構成されている。なお、どの装置をユーザが使用するかは、動作モードの選択によって行われる。また、記録再生複合機が保持する各種情報、例えば録画予約情報等を示す画像データを作成するＯＳＤ処理部を備えている。また、複数の画像を一つの画面に重ね合わせて表示するための画像信号を出力するＰＩＰ（Picture in Picture）処理部を備えている。ＰＩＰ処理部を用いれば、例えば主画像（メイン画面全てに表示される大画像）に補助画像（メイン画面の一部に表示される小画像）を重ね合わせて表示するための画像信号を生成することができる。また、各装置の動作状態、例えば録画中、或いは再生中といった状態を確認する動作状態確認部を備えている。受付部が動作状態の表示指示を受け付けると、動作状態確認部が各動作状態を確認する。そして動作状態出力部が、確認結果をＯＳＤ処理部により画像に変換し、変換した画像をテレビ装置等の表示装置に表示するための画像信号を所定時間、例えば１０秒間だけ出力する。また併せて、動作状態出力部が各装置の動作状態示す画像信号を出力する際に、各装置が出力中である画像情報を補助画像として同時、或いは順に縮小表示するための画像信号をＰＩＰ処理部により生成する。生成された画像信号はテレビ装置に出力される。なお各装置が出力中の画像情報とは、例えばＤＶＤ再生装置がＤＶＤメディアから読み出して再生中の画像情報等を指す。また例えば、再生機能を持たない記録装置であっても、チューナを用いて録画中の画像情報を出力端子を用いて外部モニター等へ出力している場合、録画中の画像情報がすなわち出力中の画像情報となる。なおＰＩＰ処理部により生成される補助画像は、モード選択により選択された装置、例えばＶＣＲ等が出力している主画像の上に重ね合わされて表示される。
【００１８】
また、上記目的を達成するために本発明の記録再生複合機は、情報の記録及び／若しくは再生が可能な複数の記録装置、再生装置、或いは記録再生装置と、前記各装置が保持する情報を示す画像を作成する画像作成手段とを備えた記録再生複合機であって、前記各装置の動作状態を確認する動作状態確認手段と、前記各装置の動作状態の表示指示を受け付ける受付手段と、前記受付手段が前記表示指示を受け付けた際に、動作状態確認手段を用いて前記各装置の動作状態を確認し、確認結果を示す画像を前記画像作成手段を用いて作成し、前記画像作成手段により作成された確認結果画像を画像信号に変換して所定時間だけ出力する動作状態出力手段とを備えたことを特徴としている。
【００１９】
これによると、本発明の記録再生複合機は、例えばチューナ等により入力した画像情報や音声情報の記録／再生が可能な複数の記録装置、再生装置、或いは記録再生装置の何れか複数を含むように構成されている。なお、どの装置をユーザが使用するかは、動作モードの選択によって行われる。また、記録再生複合機が保持する各種情報、例えば録画予約情報等を示す画像データを作成するＯＳＤ処理部（＝画像作成手段）を備えている。また各装置の動作状態、例えば録画中、或いは再生中といった状態を確認する動作状態確認部（＝動作状態確認手段）を備えている。受付部が動作状態の表示指示を受け付けると、動作状態確認部が各動作状態を確認する。そして動作状態出力部（＝動作状態出力手段）が、確認結果をＯＳＤ処理部により画像に変換し、変換した画像をテレビ装置等の表示装置に表示するための画像信号を所定時間、例えば１０秒間だけ出力する。
【００２０】
また、上記目的を達成するために本発明の記録再生複合機は、複数の画像に縮小処理、或いは重ね合わせ処理を施すことにより、表示装置の一画面上に前記複数画像を同時に表示する画像信号を作成する複数画像処理手段と、前記動作状態出力手段が、前記複数画像処理手段を用いて、前記記録再生複合機が備える前記各装置が表示装置に対して出力中である画像を前記表示装置の画面の一部分に同時に縮小表示するための画像信号を作成し、所定時間だけ出力することを特徴としている。
【００２１】
これによると、本発明の記録再生複合機は、動作状態出力部が各装置の動作状態示す画像信号を出力する際に、各装置が出力中である画像情報を補助画像として同時に縮小表示するための画像信号をＰＩＰ処理部（＝複数画像処理手段）により生成する。生成された画像信号はテレビ装置（＝表示装置）に出力される。なお各装置が出力中の画像情報とは、例えばＤＶＤ再生装置がＤＶＤメディアから読み出して再生中の画像情報等を指す。また例えば、再生機能を持たない記録装置であっても、チューナを用いて録画中の画像情報を出力端子を用いて外部モニター等へ出力している場合、録画中の画像情報がすなわち出力中の画像情報となる。なおＰＩＰ処理部により生成される補助画像は、モード選択により選択された装置、例えばＶＣＲ等が出力している主画像の上に重ね合わされて表示される。
【００２２】
また、上記目的を達成するために本発明の記録再生複合機は、複数の画像に縮小処理、或いは重ね合わせ処理を施すことにより、表示装置の一画面上に前記複数画像を同時に表示する画像信号を作成する複数画像処理手段と、前記動作状態出力手段が、前記複数画像処理手段を用いて、前記記録再生複合機が備える前記各装置が表示装置に対して出力中である画像を前記表示装置の画面の一部分に順に縮小表示するための画像信号を作成し、所定時間だけ出力することを特徴としている。
【００２３】
これによると、本発明の記録再生複合機は、動作状態出力部が各装置の動作状態示す画像信号を出力する際に、各装置が出力中である画像情報を補助画像として順に縮小表示するための画像信号をＰＩＰ処理部により生成する。生成された画像信号はテレビ装置に出力される。例えば、まずＤＶＤ記録装置が再生中の画像情報が５秒間、補助画像として縮小表示された後に消え、次にＶＣＲレコーダが受信中及び録画中の番組の画像情報が５秒間、補助画像として縮小表示される。なおＰＩＰ処理部により生成される補助画像は、モード選択により選択された装置、例えばＶＣＲ等が出力している主画像の上に重ね合わされて表示される。
【発明の効果】
【００２４】
本発明によれば、複数の装置を含む記録再生複合機が、各装置の動作状態を確認する動作状態確認部を備えている。そしてユーザからの動作状態表示指示を受け付けることにより、動作状態出力部が、ＯＳＤ処理部により作成された各装置の動作状態を示す画像を所定時間だけ出力する。このためユーザは、複合機の動作モードの切り替えを行うことなく、複合機が備える各装置の動作状態を容易に視認することができる。また、モード切り替えを行う必要がないため、例えば切り替え前の動作モードと切り替え後の動作モードにおいて使用される装置が競合し、処理の一部或いは全部が強制的に停止させられてしまうことがないため、ユーザにとっての利便性が向上する。
【００２５】
また本発明によれば、複数の装置を含む記録再生複合機において、各装置の動作状態示す画像信号を出力する際に、各装置が出力中である画像情報を、補助画像として同時に縮小表示するための画像信号をＰＩＰ処理部を用いて作成して出力する。このためユーザは、複合機の動作モードの切り替えを行うことなく、複合機が備える各装置が表示装置に対して出力中の画像を視認することができる。このため、ユーザは、各装置が処理状況をより直感的に確認することができる。また、モード切り替えを行う必要がないため、各装置の処理の一部或いは全部が強制的に停止させられてしまうことがないため、ユーザにとっての利便性が向上する。また各装置の処理中画像は縮小表示されるため、現在の動作モードの表示中画面の視聴を妨げることがない。
【００２６】
また本発明によれば、複数の装置を含む記録再生複合機において、各装置の動作状態示す画像信号を出力する際に、各装置が出力中である画像情報を、補助画像として順に縮小表示するための画像信号をＰＩＰ処理部を用いて作成して出力する。このため、画像情報を同時に縮小表示した場合と比較して、現在の動作モードの表示中画面の視聴をより妨げることないようにすることが可能である
【発明を実施するための最良の形態】
【００２７】
以下に本発明の実施形態を、図面を参照しながら説明する。なお、ここで示す実施形態は一例であり、本発明はここに示す実施形態に限定されるものではない。
【００２８】
［実施の形態１］
〈１−１．内部構成について〉
図２は、本発明の第一の実施形態に係るＶＣＲ／ＨＤＤ／ＤＶＤ複合機１（＝記録再生複合機）を示す構成図である。ＶＣＲ／ＨＤＤ／ＤＶＤ複合機１は、少なくとも、制御部１１、メモリ１２、ハードディスク１３、データ入力部１４、画像信号処理部１５、テレビ装置１６、光ディスクドライブ１７、ＶＣＲ１８、ＰＩＰ処理部１９、ＯＳＤ処理部２０、操作ボタン群２１、及びフロントパネル２２を含むように構成されている。
【００２９】
制御部１１は、ＶＣＲ／ＨＤＤ／ＤＶＤ複合機１の各部材の駆動を制御することにより画像情報処理、例えばコンテンツの録画或いは再生等を統括制御するためのものであり、例えば複数のマイクロプロセッサから構成されている。また制御部１１は、各装置（例えばハードディスク１３等）の制御やデータの計算、加工処理等を行なう中枢部分となっている。なお、制御部１１が備える各機能部（受付部１１ａ〜動作状態出力部１１ｃ）の詳細については後述する。
【００３０】
メモリ１２は、ＶＣＲ／ＨＤＤ／ＤＶＤ複合機１が保持する各種データを一時的に記録する媒体であり、例えば書込可能なＲＡＭ（Random Access Memory）等により構成されている。メモリ１２は、例えば制御部１１によって各種情報処理が行われる際の処理データや、ユーザから受けた指示命令等を一時的に記録しておくためのバッファメモリとしての役割を持つ。
【００３１】
ハードディスク１３（＝記録再生装置の一部）は、ＶＣＲ／ＨＤＤ／ＤＶＤ複合機１が備えるハードディスクレコーダ機能が記録する録画データ、或いは録画予約情報等の管理情報を記録するための磁気記録媒体である。また、ＶＣＲ／ＨＤＤ／ＤＶＤ複合機１が備えるＤＶＤプレーヤ機能等により出力された画像データを記録する、いわゆるダビング処理に用いることも可能である。なお、ハードディスク１３は、複数の領域（＝パーティション）に分割されており、記録するデータの種別に応じて領域別に記録することがより望ましい。
【００３２】
データ入力部１４は、例えば外部のデジタルアンテナに接続されてデジタル放送を受信するデジタルチューナーや、コンポジットビデオ信号を入力するＲＣＡ入力端子等であり、画像データ及び音声データを入力する役割を持つ。なお、アナログデータを入力する場合は、不図示のＡ／Ｄコンバータ（Analog Digital Converter）を用いてアナログの画像データ及び音声データをデジタルデータに変換して入力することが可能である。
【００３３】
画像信号処理部１５は、データ入力部１４により入力した画像データを、テレビ装置１６を用いて表示するための画像信号に変換する。なお、画像信号に変換する画像データはとしては、データ入力部１４から入力されたもの以外に、ハードディスク１３に記録されている画像データやＶＣＲ１８により出力された画像データであっても構わない。
【００３４】
テレビ装置１６（＝表示装置）は、例えばブラウン管や液晶モニター等を備えた表示装置である。ＶＣＲ／ＨＤＤ／ＤＶＤ複合機１が入力した画像、或いはＶＣＲ／ＨＤＤ／ＤＶＤ複合機１がＤＶＤメディア等から再生した画像を示す画像信号を画像信号処理部１５より受けて、画像の表示を行う。
【００３５】
光ディスクドライブ１７（＝記録再生装置の一部）は、ＣＤメディア、或いはＤＶＤメディア等の光ディスクを記録し、光ディスクに対して光学的に各種データの読み込み、または書き込みを行うための光学装置である。なお、光ディスクには複数の規格が存在するため、光ディスクドライブ１７の規格に応じた光ディスクを使用しなければ、各種処理（録画、再生等）を行うことができない。
【００３６】
ＶＣＲ１８（＝記録再生装置の一部）は、アナログ方式或いはデジタル方式のビデオカセットテープに対して画像情報或いは音声情報の記録再生を行う記録再生装置である。ＶＣＲ１８によって再生処理されたデータは画像信号処理部に送られ、画像信号に変換されてテレビ装置１６に表示される。また、ＶＣＲ／ＨＤＤ／ＤＶＤ複合機１が備える他の記録再生装置との間で画像情報の受け渡しを行うことも可能である。
【００３７】
ＰＩＰ処理部１９（＝複数画像処理手段）は、例えばユーザがＰＩＰモードを起動した際に、ＰＩＰ信号を作成してテレビ装置１６へ与える。ＰＩＰ信号とは主画像（メイン画面全てに表示される大画像）とその中に挿入される補助画像（メイン画面の一部に表示される小画像）を表す信号である。ＰＩＰモードが作動していないとき、ＰＩＰ信号は主画像信号だけを含み、補助画像信号はＰＩＰ信号の中に含まれていない。またＰＩＰ処理部１９は、後述する動作状態出力部１１ｃより補助画像信号の出力指示を受けた際に、各記録再生装置が入出力処理中である画像信号を補助画像信号に縮小変換して出力する役割を持つ。
【００３８】
ＯＳＤ（on-screen display）処理部２０（＝画像作成手段）は、画像信号生成部である。ＯＳＤ処理部２０は、ＶＣＲ／ＨＤＤ／ＤＶＤ複合機１が出力すべき情報をユーザが視認できる画像情報に変換し、変換した画像情報をテレビ装置等に表示するための画像信号を生成する。生成された画像信号はテレビ装置１６に送られて表示される。
【００３９】
操作ボタン群２１は、ユーザが番組の録画及び録画予約等の各種指示をＶＣＲ／ＨＤＤ／ＤＶＤ複合機１に対して行なうための入力インタフェースである。操作ボタン群２１により出力された指示は、制御部１１により受け付けられる。指示を受け付けた制御部１１は、指示の内容に基づいて各種処理を行う。なお操作ボタン群２１は、後述する動作状態表示処理の実施を指示する動作状態確認ボタン（不図示）を含むように構成されている。フロントパネル２２は、ＶＣＲ／ＨＤＤ／ＤＶＤ複合機１の各種情報をユーザに対して表示する。
【００４０】
〈１−２．機能部の構成について〉
【００４１】
ここで、本発明の第一の実施形態に係るＶＣＲ／ＨＤＤ／ＤＶＤ複合機１が備える動作状態表示機能を構成する各機能部の関係を、図１の機能ブロック図を用いながら説明する。
【００４２】
図１に示すように本発明の動作状態表示機能は少なくとも、制御部１１が備える受付部１１ａ（＝受付手段）、動作状態確認部１１ｂ（＝動作状態確認手段）、及び動作状態出力部１１ｃ（＝動作状態出力手段）と、ハードディスク１３と、テレビ装置１６と、光ディスクドライブ１７と、ＶＣＲ１８と、ＰＩＰ処理部１９と、ＯＳＤ処理部２０とにより構成される。
【００４３】
受付部１１ａは、ＶＣＲ／ＨＤＤ／ＤＶＤ複合機１が起動している状態において、各記録再生装置の動作状態表示指示を外部より受け付ける。動作状態表示指示を受け付けた場合、受付部１１ａは動作状態確認部１１ｂに対して、各記録再生装置を構成する部材の動作状態の確認を指示する。そして動作状態確認部１１ｂから通知された確認結果を、動作状態出力部１１ｃに対して与える。
【００４４】
動作状態確認部１１ｂは、ＶＣＲ／ＨＤＤ／ＤＶＤ複合機１に含まれる各記録再生装置を構成する部材、ここではハードディスク１３、ＤＶＤディスクドライブ１７、及びＶＣＲ１８の動作状態を確認する。具体的には、録画中、再生中、或いは停止中といった、画像情報の記録再生に関わる動作状態を確認する。また録画中或いは再生中である場合は、録画対象或いは再生対象も併せて確認する。確認により得られた動作状態を示す情報は、受付部１１ａに与えられる。
【００４５】
動作状態出力部１１ｃは、受付部１１ａより各装置の動作状態の確認結果を与えられた際に、ＯＳＤ処理部２０及びテレビ装置１６を用いて確認結果を画像情報に変換して出力する。具体的には、各装置の動作状態を示す文字情報をＯＳＤ処理部２０により作成する。また併せて、各記録再生装置が処理中の画像（例えば録画中番組の画像）を縮小した補助画像を表示するためのＰＩＰ信号の作成指示を、ＰＩＰ処理部１９に対して与える。
【００４６】
〈１−３．動作状態表示画面について〉
ここで、本発明の第一の実施形態に係るＶＣＲ／ＨＤＤ／ＤＶＤ複合機１が備えるＰＩＰ処理部１９及びＯＳＤ処理部２０が作成し、テレビ装置１６が表示する動作状態表示画面について、図５の画面図を用いながら説明する。
【００４７】
図５は、本発明の第一の実施形態に係るＶＣＲ／ＨＤＤ／ＤＶＤ複合機１の動作状態表示画面の一例である。図５に示されているように、本発明のＶＣＲ／ＨＤＤ／ＤＶＤ複合機１の動作状態表示画面は、少なくともモード表示部５１、チューナ情報表示部５２、ＰＩＰ表示部５３を含むように構成されている。なお、各構成要素を除く領域（＝主画面）には、現在選択中である動作モードにおいて処理中の画像情報（＝主画像）が表示される。図５に示す例では、ＶＣＲモードが選択されているため、ＶＣＲ１８がアナログチューナを用いて受信しているアナログ２チャンネルのドラマ番組が、主画像として表示されている。
【００４８】
モード表示部５１は、現在選択されている動作モードを示す文字情報を、ＯＳＤ処理部２０を用いて表したものである。チューナ情報表示部５２は現在選択されている動作モードにおいて使用されているチューナの受信状態、具体的には受信している番組のチャネルを示す文字情報を、ＯＳＤ処理部２０を用いて表したものである。
【００４９】
ＰＩＰ表示部５３は、各動作モードにおいて各記録再生装置が入出力処理中である画像信号を、ＰＩＰ処理部１９により縮小処理を施して補助画像として表示したものである。またＰＩＰ表示部５３には、ＯＳＤ処理部２０が作成した各動作モード及び各動作モードのチューナ情報を示す画像情報（例えば「アナログ  ２ｃｈ」と行った文字を表す画像情報）が、透過的に重ねられて表示される。また録画アイコン５４は、各動作モードにおいて録画処理が行われているかどうかを示すアイコンである。録画処理中である場合、ＯＳＤ処理部２０は録画アイコン５４をＰＩＰ表示部５３に透過的に重ねて表示する。
【００５０】
図５に示す例では、ＰＩＰ表示部５３ａがＶＣＲモードの動作状態を示している。ＶＣＲモードにおいては、ＶＣＲ１８がアナログチューナを用いてアナログ２チャンネルのドラマ番組を受信している。このため、受信中のドラマ番組の縮小画像が表示されている。また、ＰＩＰ表示部５３ｂがＤＶＤモードの動作状態を示している。ＤＶＤモードにおいては、ＤＶＤレコーダがデジタルチューナーを用いてデジタル２チャンネルのレース番組を受信し、かつ録画している。このためて、受信中かつ録画中のレース番組の縮小画像が表示されている。また、ＰＩＰ表示部５３ｃがＨＤＤモードの動作状態を示している。ＨＤＤモードにおいては、ＨＤＤレコーダがＢＳチューナを用いてＢＳ７チャンネルのゴルフ番組を受信し、かつ録画している。このためて、受信中かつ録画中のゴルフ番組の縮小画像が表示されている。
【００５１】
なお図５に示す例では画面左上にモード表示部５１及びチューナ情報表示部５２が、画面右下に、ＰＩＰ表示部５３が表示されているが、これらはＰＩＰ処理部１９及びＯＳＤ処理部２０の機能により、表示位置を変更することが可能である。
【００５２】
〈１−４．ＰＩＰによる動作状態表示処理について〉
ここで、本発明の第一の実施形態に係るＶＣＲ／ＨＤＤ／ＤＶＤ複合機１によるＰＩＰ処理部を用いた各動作モードの動作状態表示処理を、図１及び図２のブロック図と、図３のフロー図と、図５の画面図とを用いながら説明する。
【００５３】
図３は、本発明の第一の実施形態に係る動作状態表示処理の処理フローを示したフローチャートである。図３に示すように本処理は、何れかの動作モードによる動作開始指示を制御部１１が検知することにより開始される。なお動作開始指示は、例えば操作ボタン群２１に含まれる電源起動ボタン、或いはモード切り替えボタンが押下された場合等に発行される。本処理が開始さいれた後、制御部１１はステップＳ１１０において、指定された動作モードに対応する記録再生装置による画像信号出力処理を開始する。例えばＶＣＲモードであれば、ＶＣＲ１８がチューナより入力したテレビ放送の表示処理等を行う。
【００５４】
次に受付部１１ａが、ステップＳ１２０において、各動作モードの動作状態表示指示を、制御部を検知したかどうかの判定を行う。なお動作状態表示指示は、例えば操作ボタン群２１に含まれる動作状態確認ボタンボタンが押下された場合等に発行される。動作状態表示指示が検知されなかった場合、再びステップＳ１１０に移行する。逆に動作状態表示指示が検知された場合、受付部１１ａは動作状態確認部１１ｂに対して、各記録再生装置の動作状態確認指示を与える。
【００５５】
受付部１１ａより動作状態確認指示を与えられた動作状態確認部１１ｂは、各動作モードにおいて動作している各記録再生装置の動作状態の確認を行い、得られた確認結果を受付部１１ａに対して通知する。具体的には、ＶＣＲモードで動作するＶＣＲ１８、ＤＶＤモードで動作する光ディスクドライブ１７等の録画再生状態、使用中チューナ、受信チャネル情報等を確認する。動作状態確認部１１ｂより確認結果を受けた受付部１１ａは、動作状態出力部１１ｃに対して確認結果を与えると共に、確認結果の出力指示を与える。
【００５６】
受付部１１ａより出力指示を受け付けた動作状態出力部１１ｃは、ステップＳ１４０において、動作状態確認部１１ｂにより得られた確認結果を示す画像情報を、ＯＳＤ処理部２０を用いて作成し、テレビ装置１６により表示する。併せて、各記録再生装置が処理中の画像情報、例えばＶＣＲ１８が録画中のテレビ放送の画像等を表示装置に表示するための信号を、ＰＩＰ処理部１９を用いてテレビ装置１６に与える。
【００５７】
この結果、例えば図５の画面図に示すようにＰＩＰ表示部５３ａ〜ＰＩＰ表示部５３ｃの表示処理が行われる。ＰＩＰ表示部５３ａには、ＶＣＲモードの動作状態、及びＶＣＲモードにて受信しているテレビ放送の縮小画像が表示される。またＰＩＰ表示部５３ｂには、ＤＶＤモードの動作状態、及びＤＶＤモードにて録画しているテレビ放送の縮小画像が表示される。またＰＩＰ表示部５３ｃには、ＨＤＤモードの動作状態、及びＨＤＤモードにて録画しているテレビ放送の縮小画像が表示される。
【００５８】
なお上記は動作モード及び記録再生機器の数が三つである場合の例を示しているが、動作モード及び記録再生機器の数が変われば、それに伴い表示されるＰＩＰ表示部５３の数も増減する。また、特定の動作モードの動作状態を示すＰＩＰ表示部５３を非表示にする指示をユーザより受け付け、非表示とする形態（例えば動作モードの数が多すぎるため、ＤＶＤモードの動作状態を示すＰＩＰ表示部５３を非表示にする等）であってもよい。
【００５９】
次に動作状態出力部１１ｃは、ステップＳ１５０において、ＰＩＰ表示部５３の表示を開始してから、予め定められた所定時間、例えば１０秒を超過しているかどうかの判定を行う。超過していないと判定された場合、ステップＳ１４０に移行する。逆に超過していると判定された場合、ステップＳ１６０において、ＰＩＰ表示部５３の表示処理、つまりＰＩＰ処理部１９、ＯＳＤ処理部２０、及びテレビ装置１６による表示処理を停止し、本処理を終了する。
【００６０】
［実施の形態２］
〈２−１．内部構成について〉
実施の形態１と同内容であるため、ここでは説明を省略する。
【００６１】
〈２−２．機能部の構成について〉
実施の形態１と同内容であるため、ここでは説明を省略する。
【００６２】
〈２−３．動作状態表示画面について〉
ここで、本発明の第二の実施形態に係るＶＣＲ／ＨＤＤ／ＤＶＤ複合機１が備えるＰＩＰ処理部１９及びＯＳＤ処理部２０が作成し、テレビ装置１６が表示する動作状態表示画面について、図６〜図８の画面図を用いながら説明する。
【００６３】
図６は〜図８、本発明の第二の実施形態に係るＶＣＲ／ＨＤＤ／ＤＶＤ複合機１の動作状態表示画面の一例である。図６〜図８に示されているように、本発明のＶＣＲ／ＨＤＤ／ＤＶＤ複合機１の動作状態表示画面は、少なくともモード表示部５１、チューナ情報表示部５２、ＰＩＰ表示部５３を含むように構成されている。なお、各構成要素の詳細は実施の形態１と同内容であるため、ここでは説明を省略する。
【００６４】
実施の形態１と異なり本実施形態においては、ＰＩＰ表示部５３が画面内に一つしか表示されない。従って図６に示す例では、ＶＣＲモードの動作状態を示すＰＩＰ表示部５３ａのみが表示されている。この状態において、予め定められた所定時間が経過すると、図７に示す画面状態に遷移する。図７においては、ＤＶＤモードの動作状態を示すＰＩＰ表示部５３ｂのみが表示されている。さらにこの状態から所定時間が経過すると、図８に示す画面状態に遷移する。図８においては、ＨＤＤモードの動作状態を示すＰＩＰ表示部５３ｃのみが表示されている。
【００６５】
このように時間の経過と共に表示されるＰＩＰ表示部５３の内容が変化する。結果としてユーザは、全ての動作モードの動作状態を順に確認することが可能である。なお、ＰＩＰ表示部５３の表示内容が変化するタイミングは所定時間の経過に限定されるものではなく、例えばユーザが操作ボタン群２１に含まれる動作状態確認ボタンの押下を行うことにより、順次切り替わる形態であってよい。
【００６６】
〈１−４．ＰＩＰによる動作状態表示処理について〉
ここで、本発明の第二の実施形態に係るＶＣＲ／ＨＤＤ／ＤＶＤ複合機１によるＰＩＰ処理部を用いた各動作モードの動作状態表示処理を、図１及び図２のブロック図と、図４のフロー図と、図６〜図８の画面図とを用いながら説明する。
【００６７】
図４は、本発明の第二の実施形態における動作状態表示処理の処理フローを示したフローチャートである。なお、実施の形態１と同内容の処理については同じステップ番号を付加して説明を省略するものとする。
【００６８】
処理開始、及びステップＳ１１０〜ステップＳ１３０については実施の形態１と同内容であるため、説明を省略する。ステップＳ１３０において受付部１１ａより出力指示を受け付けた動作状態出力部１１ｃは、ステップＳ１４５において、動作状態確認部１１ｂにより得られた一記録再生装置の確認結果を示す画像情報を、ＯＳＤ処理部２０を用いて作成し、テレビ装置１６に表示する。併せて、一記録再生装置が処理中の画像情報、例えばＶＣＲ１８が受信中のテレビ放送の画像を表示するための信号を、ＰＩＰ処理部１９を用いて作成し、テレビ装置１６に与える。
【００６９】
この結果、例えば図６の画面図に示すようにＰＩＰ表示部５３ａの表示処理が行われる。ＰＩＰ表示部５３ａには、ＶＣＲモードの動作状態を示す画像情報、及びＶＣＲモードにて受信しているテレビ放送の縮小画像が表示される。この際、ＤＶＤモード或いはＨＤＤモードの動作状態については表示されない。
【００７０】
次に動作状態出力部１１ｃは、ステップＳ１５０において、ＰＩＰ表示部５３の表示を開始してから、予め定められた所定時間、例えば１０秒を超過しているかどうかの判定を行う。超過していないと判定された場合、ステップＳ１４５に移行する。逆に超過していると判定された場合、ステップＳ１５５において、全ての動作モードの動作状態表示、つまりＰＩＰ表示を完了したかの判定を行う。全ての動作モードの動作状態表示を完了していない場合、ステップＳ１４５に移行し、未表示の動作モードの動作状態表示を行う。
【００７１】
例えば図６に示すＶＣＲモードの動作状態表示は行ったが、図７に示すＤＶＤモードの表示を行っていない場合、ステップＳ１４５において、動作状態確認部１１ｂにより得られた一記録再生装置、ここではＤＶＤレコーダの確認結果を示す画像情報を、ＯＳＤ処理部２０を用いて作成し、テレビ装置１６に与える。併せて、一記録再生装置が処理中の画像情報、ここではＤＶＤレコーダが録画中のテレビ放送の画像を表示するための信号を、ＰＩＰ処理部１９を用いて作成し、テレビ装置１６に与える。
【００７２】
このようにステップＳ１４５〜ステップＳ１５５の処理を動作モードの数だけ繰り返し行うことにより、全動作モードの動作状態表示を順に行うことが可能である。そしてステップＳ１５５において、全ての動作モードの動作状態表示が完了したと判定された場合、ステップＳ１６０において、ＰＩＰ表示部５３による動作状態表示処理、つまりＰＩＰ処理部１９、ＯＳＤ処理部２０、及びテレビ装置１６による表示処理を停止し、本処理を終了する。
【００７３】
［その他の実施の形態］
以上、好ましい実施の形態及び実施例をあげて本発明を説明したが、本発明は必ずしも上記実施の形態に限定されるものではなく、その技術的思想の範囲内において様々に変形して実施することができる。
【００７４】
従って本発明は、以下の形態にも適用可能である。
（Ａ）本実施形態では、選択中の動作モード（メイン画面に画像が表示されている動作モード）の縮小画像および動作状態を、ＰＩＰ処理部を用いて表示しているが、選択中の動作モードの縮小画像及び動作状態は表示せず、選択外の動作モードの縮小画像および動作状態のみをＰＩＰ処理部を用いて表示する形態であってもよい。
【００７５】
（Ｂ）本実施形態では、記録再生複合機１に含まれる記録再生装置としてハードディスク１３によるＨＤＤ記録再生装置、ＤＶＤディスクドライブ１７によるＤＶＤ記録再生装置、ＶＣＲ１８の三つを例にあげているが、これら以外の記録装置、再生装置、或いは記録再生装置を含む記録再生複合機において本発明を実施する形態でもよい。例えば、ＤＶＤプレーヤ、ＢＤ−Ｒレコーダ、ＣＤプレーヤ、ＭＤプレーヤ、テレビゲーム装置、或いはカーナビゲーションなどを用いる形態であってもよい。
【００７６】
（Ｃ）本実施形態では、ＰＩＰ処理部１９によって実現されるＰＩＰ機能を用いて補助画像の表示処理を行っているが、この他の補助画像表示機能、例えばＰＯＰ（Picture on Picture）機能を用いて、補助画像の表示処理を行う形態であってもよい。
【００７７】
（Ｄ）本実施形態では、動作状態表示処理に関わる各種機能部が、マイクロプロセッサ等の演算処理装置上でプログラムを実行することにより実現されているが、各種機能部が複数の回路により実現される形態でもよい。
【００７８】
（Ｅ）本実施形態では、制御部１１及び各記録再生装置が記録再生複合機１の内部に備わっている構成を例として説明したが、制御部１１及び各記録再生装置に含まれる各機能部の一部或いは全部がネットワークを介して接続された外部装置により実現される形態であってもよい。例えば、ＨＤＤレコーダが備えるハードディスク１３が、ネットワーク上に存在する共有記録媒体（ネットワークドライブ等）に記録されており、複数の情報処理装置（例えばパソコン）から共有記録媒体に記録された録画予約情報の参照或いは編集を行える形態であってもよい。
【００７９】
（Ｆ）本実施形態では、ＰＩＰ処理部１９及びＰＩＰ表示部５３を用いて各動作モードの処理中画像を縮小表示したが、処理中画像の表示を行わず、各モードの動作状態を示す画像のみをＯＳＤ処理部２０を用いて表示する形態であってもよい。例えば図９に示すように、ＯＳＤ処理部２０によって作成された状態表示部５５により、各モードの動作状態を示す文字を表した画像情報のみが表示される形態であってもよい。この場合、ＰＩＰ表示部５３を用いた場合よりも主画面を占有する率が少なくなり、結果として多くの動作モードが存在する場合であっても、主画面の視聴を阻害しにくいという効果を得ることが出来る。
【図面の簡単な説明】
【００８０】
【図１】は、本発明の一実施形態に係る記録再生複合機が備える機能部の構成を示す機能ブロック図である。
【図２】は、本発明の一実施形態に係る記録再生複合機を示す構成図である。
【図３】は、本発明の第一の実施形態に係る動作状態表示処理の処理フローを示したフロー図である。
【図４】は、本発明の第二の実施形態に係る動作状態表示処理の処理フローを示したフロー図である。
【図５】は、本発明の第一の実施形態に係る動作状態表示画面を示す画面図である。
【図６】は、本発明の第二の実施形態に係る動作状態表示画面を示す画面図である。
【図７】は、本発明の第二の実施形態に係る動作状態表示画面を示す画面図である。
【図８】は、本発明の第二の実施形態に係る動作状態表示画面を示す画面図である。
【図９】は、本発明のその他の実施形態に係る動作状態表示画面を示す画面図である。
【符号の説明】
【００８１】
１      ＶＣＲ／ＨＤＤ／ＤＶＤ複合機（記録再生複合機）
１１    制御部
１１ａ  受付部（受付手段）
１１ｂ  動作状態確認部（動作状態確認手段）
１１ｃ  動作状態出力部（動作状態出力手段）
１３    ハードディスク（記録再生装置）
１６    テレビ装置（表示装置）
１７    光ディスクドライブ（記録再生装置）
１８    ＶＣＲ（記録再生装置）
１９    ＰＩＰ処理部（複数画像処理手段）
２０    ＯＳＤ処理部（画像作成手段）
【図１】
2008182568.tif 000003
【図２】
2008182568.tif 000004
【図３】
2008182568.tif 000005
【図４】
2008182568.tif 000006
【図５】
2008182568.tif 000007
【図６】
2008182568.tif 000008
【図７】
2008182568.tif 000009
【図８】
2008182568.tif 000010
【図９】
2008182568.tif 000011